(57)【要約】【課題】この発明は利用者が身体の所望する部分にマッサージを確実に受けることができるマッサージユニットを備えたベッド装置を提供することにある。【解決手段】上面にマットレスが載置されるベッドフレーム１と、このベッドフレームの長手方向一端に設けられたヘッドボード２と、このヘッドボードに着脱可能に設けられたマッサージ器７を有するマッサージユニット４とを具備する。【選択図】    図１
2004154477.tif 000002
【特許請求の範囲】
【請求項１】
上面にマットレスが載置されるベッドフレームと、
このベッドフレームの少なくとも長手方向一端に設けられたボード体と、
このボード体に着脱可能に設けられたマッサージ器を有するマッサージユニットと
を具備したことを特徴とするベッド装置。
【請求項２】
上記マッサージユニットは、厚さ方向中途部に上記マッサージ器を内蔵した弾性材と、この弾性材を被覆するとともに外面に上記ボード体に係合する係合部が設けられた袋状の外装体とを備えていることを特徴とする請求項１記載のベッド装置。
【請求項３】
上記マッサージ器は、駆動源によって駆動される少なくとも一対の揉み部材を有することを特徴とする請求項２記載のベッド装置。
【発明の詳細な説明】
【０００１】
【発明の属する技術分野】
この発明はマッサージユニットを備えたベッド装置に関する。
【０００２】
【従来の技術】
一般に、ベッド装置は上面にマットレスが載置されるベッドフレームを有する。このベッドフレームの一端と他端とにはボード体としてのヘッドボードとフットボードがそれぞれ設けられている。
【０００３】
このような構成のベッド装置において、その付加価値を高めるために上記ボード体のうち、たとえばヘッドボードにマッサージユニットを組み込み、利用者がマットレス上で上半身を起こし、上記ヘッドボードに寄り掛かることで、背面にマッサージを受けることができるようにすることが考えられている。
【０００４】
【発明が解決しようとする課題】
上記ヘッドボードは板面が上記マットレスの上面に対してほぼ直角である。つまり、ヘッドボードの板面はほぼ垂直である。そのため、上記マッサージユニットを上記ヘッドボードに組み込んでも、マットレス上で上半身を起こした利用者は背面を上記ヘッドボードの板面に強く押し当て難いため、背面に十分な強さでマッサージを受けることができないということになる。
【０００５】
すなわち、ヘッドボードのマッサージユニットが設けられる板面が垂直であると、利用者は上半身をほぼ直角に起こして背筋を伸ばさないと背面をヘッドボードの板面に当てることができないということがあるばかりか、上半身をほぼ直角に起こした状態ではヘッドボードの板面に体重を掛け難い。そのため、利用者はマッサージユニットに身体を楽な姿勢で確実に強く押し当てることができないということになる。
【０００６】
さらに、ヘッドボードにマッサージユニットを組み込んだのでは、利用者が身体の背部以外の部分、たとえばでん部、腰部或いは頚部などにマッサージを受けることが難しいということがある。
【０００７】
この発明は、身体のどの部分であっても、利用者が楽な姿勢でマッサージを受けることができるようにしたマッサージユニットを備えたベッド装置を提供することにある。
【０００８】
【課題を解決するための手段】
この発明は、上面にマットレスが載置されるベッドフレームと、
このベッドフレームの少なくとも長手方向一端に設けられたボード体と、
このボード体に着脱可能に設けられたマッサージ器を有するマッサージユニットと
を具備したことを特徴とするベッド装置にある。
【０００９】
上記マッサージユニットは、厚さ方向中途部に上記マッサージ器を内蔵した弾性材と、この弾性材を被覆するとともに外面に上記ボード体に係合する係合部が設けられた袋状の外装体とを備えていることが好ましい。
【００１０】
上記マッサージ器は、駆動源によって駆動される少なくとも一対の揉み部材を有することが好ましい。
【００１１】
この発明によれば、マッサージユニットをボード体から取り外し、このマッサージユニットをたとえばマットレス上などに設置したならば、利用者は仰臥して身体のマッサージを受けたい部分を上記マッサージユニットに押し当てれば、その部分にマッサージを受けることができる。
【００１２】
【発明の実施の形態】
以下、図面を参照しながらこの発明の一実施の形態を説明する。
【００１３】
図１はこの発明の一実施の形態に係るベッド装置を示し、このベッド装置は上面にマットレスＭが載置されたベッドフレーム１を備えている。このベッドフレーム１の長手方向一端にはボード体としてのヘッドボード２が立設されている。このヘッドボード２はパイプ材をほぼ逆Ｕ字状に曲成し、その両端部を上記ベッドフレーム１の一端に固定して設けられている。
【００１４】
上記ヘッドボード２にはマッサージユニット４が着脱可能に設けられている。このマッサージユニット４は図３と図４に示すようにウレタンフォームなどによって矩形板状に形成された弾性材５を備えている。この弾性材５には一側面に開口した凹部６が形成され、この凹部６にはマッサージ器７が収容されている。マッサージ器７が収容された凹部６は、弾性材５と同じ材料によって形成された蓋部材８によって閉塞されている。
【００１５】
上記マッサージ器７は下面が開口した筐体１１を有し、この筐体１１の下面開口は筐体１１よりも十分に大きな平板状をなしたベース板１２によって閉塞されている。
【００１６】
上記凹部６は、上記マッサージ器７の筐体１１が収容される第１の部分６ａと、上記ベース板１２が収容される第２の部分６ｂとからなり、凹部６を閉塞する上記蓋部材８は上記第２の部分６ｂに設けられている。
【００１７】
上記筐体１１内には駆動源としてのモータ１３及びこのモータ１３によって回転駆動される回転軸１４が設けられている。回転軸１４は軸線を上記マッサージユニット４の長手方向に沿って配置され、先端部が軸受１５によって回転可能に支持されている。
【００１８】
図５に示すように、上記回転軸１４には一対の偏心盤１７（一方のみ図示）が回転軸１４に対して偏心し、かつ互いに逆方向に向かって所定の角度で傾斜して設けられている。各偏心盤１７には揉み部材１８の基部１８ａが上記偏心盤１７に対して相対的に回転可能に設けられている。つまり、上記基部１８ａには取付け孔１９が形成され、この取付け孔１９を上記偏心盤１７に回転可能に外嵌させている。一対の揉み部材１８の先端部は凸曲面状の揉み部１８ｂに形成され、その先端部は筐体１１に形成された開口部１１ａ及び弾性材５に形成された開口部５ａから外部に突出している。
【００１９】
上記揉み部材１８の基部１８ａの一側面と他側面とには上記取付け孔１９よりも大径に形成された押え部材２１が設けられている。それによって、上記揉み部材１８が上記偏心盤１７から外れるのを防止している。
【００２０】
したがって、上記モータ１３によって上記回転軸１４を回転駆動すると、一対の揉み部材１８が基部１８ａを支点として揉み部１８ｂが接離する方向に揺動駆動されるから、一対の揉み部１８ｂによって身体に揉みマッサージを受けることができる。
【００２１】
なお、この実施の形態では、上記モータ１３は図示しないリモートコントローラによって作動させることができるようになっているが、マサージユニット４に上記モータ１３を作動させるスイッチを設けるようにしてもよい。
【００２２】
上記弾性材５は袋状に縫製された外装体２１によって被覆されている。この外装体２１は伸縮性を有する布地によって形成されている。したがって、上記外装体２１は、弾性材５からその外部に突出した上記揉み部材１８ｂの先端部の揺動運動を妨げることがないようになっている。
【００２３】
上記マッサージユニット４の一側面、つまり弾性材５から揉み部材１８の揉み部１８ｂが突出した側面には、上記ヘッドボード２の幅寸法とほぼ同じ長さ寸法で、下端が開放した係合部としての袋部２２が形成されている。そして、上記マッサージユニット４は、上記袋部２２を上記ヘッドボード２に装着することで、このヘッドボード２に対して着脱可能に保持される。
【００２４】
上記構成のベッド装置によれば、マッサージユニット４は、図２に示すように揉み部材１８の揉み部１８ｂが突出した側面を背面にしてヘッドボード２に保持されている。
【００２５】
そのため、利用者がヘッドボード２に寄り掛かってマットレスＭ上で上半身を起こす場合、利用者には弾性材５の柔らかさが伝わり、この弾性材５に埋設されたマッサージ器７や揉み部材１８の硬さが伝わることがないから、通常のヘッドボード２として利用することができる。
【００２６】
利用者が身体にマッサージを受けたい場合には、マッサージユニット４をヘッドボード２から取り外し、揉み部材１８の揉み部１８ｂが突出した側面を上にしてたとえばマットレスＭの上面などに載置する。そして、利用者は身体のマッサージを受けたい部分を弾性材５から突出した一対の揉み部材１８の揉み部１８ｂに当ててモータ１３を作動させる。
【００２７】
それによって、一対の揉み部材１８が互いに逆方向に揺動するから、利用者はこれら揉み部材１８の先端部の揉み部１８ｂによって身体にマッサージを受けることができる。
【００２８】
利用者は、マットレスＭ上に載置されたマッサージユニット４に身体の頚部、背部、腰部、臀部或いは足部など、どの部分であっても制限を受けることなく強く押し当てることが可能である。そのため、利用者は身体のマッサージを受けたい部分に、上記揉み部１８ｂによって確実にマッサージを受けることができる。
【００２９】
ヘッドボード２から取り外したマッサージユニット４を、揉み部１８ｂが突出した面を上にしてマットレスＭのヘッドボード２側の一端に設置すれば、このマッサージユニット４を就寝用などの枕としても利用することもできる。
【００３０】
利用者がマッサージを受ける場合、ヘッドボード２から取り外したマッサージユニット４はマットレスＭ上だけでなく、たとえば床面や畳面などに載置して利用することもできる。
【００３１】
上記一実施の形態ではマッサージユニットをヘッドボードに着脱可能に設けるようにしたが、フットボードを有するベッド装置の場合には、フットボードに着脱可能に設けるようにしてもよい。
【００３２】
【発明の効果】
以上のようにこの発明は、マッサージユニットをボード体から取り外して適所に載置すれば、利用者はマッサージユニットに設けられたマッサージ器に身体の一部を強く、しかも確実に押し当ててマッサージを受けることができる。つまり、利用者は身体のどの部分であっても、制限されることなく確実にマッサージを受けることができる。
【図面の簡単な説明】
【図１】この発明の一実施の形態に係るヘッドボードからマッサージユニットを取り外したベッド装置の斜視図。
【図２】マッサージユニットをヘッドボードに装着した側面図。
【図３】マッサージユニットの要部を断面した平面図。
【図４】図３のＡ−Ａ線に沿う拡大断面図。
【図５】回転軸と揉み部材との取付け構造の断面図。
【符号の説明】
１…ベッドフレーム
２…ヘッドボード（ボード体）
４…マッサージユニット
５…弾性材
７…マッサージ器
２１…外装体
２２…袋部（係合部）
【図１】
2004154477.tif 000003
【図２】
2004154477.tif 000004
【図３】
2004154477.tif 000005
【図４】
2004154477.tif 000006
【図５】
2004154477.tif 000007